(57)【要約】【課題】シートを取り出して使用する段階で、香料成分が揮散するよう構成することによって、使用時期に関係なく、経時的に安定した香りを生じせしめるようにする。【解決手段】箱上面に形成された開封蓋部分全体を広く覆う領域をもって裏面側に固定された収納シート材料に取り出し用スリット３１が形成され、使用時に前記開封蓋部分を除去し、前記スリット３１をティシュペーパーＰの取り出し口としてティシュペーパーＰを取り出すようにした収納箱において、  前記収納シート材料３０における、少なくとも前記ティシュペーパーＰの取り出し時に擦れる部分に香料成分を封入するマイクロカプセル担持層４０が設けられ、前記ティシュペーパーＰの取り出し時に、当該ティシュペーパーＰがマイクロカプセルに擦れて接触し、前記マイクロカプセルから香料成分が揮散するようにした。【選択図】図６
2007008542.tif 000002
【特許請求の範囲】
【請求項１】
取り出し口を有するシートの収納体において、前記シートの取り出し口を形成し、前記取り出し口を形成する収納シート材料における、少なくとも前記シートの取り出し時に擦れる部分に香料成分を封入するマイクロカプセル担持層が設けられ、前記シートの取り出し時に、当該シートがマイクロカプセルに擦れて接触し、前記マイクロカプセルから香料成分が揮散するようにしたことを特徴とするシートの収納体。
【請求項２】
箱上面に形成された開封蓋部分全体を広く覆う領域をもって裏面側に固定された収納シート材料に取り出し用スリットが形成され、使用時に前記開封蓋部分を除去し、前記スリットをティシュペーパーの取り出し口としてティシュペーパーを取り出すようにした収納箱において、
前記収納シート材料における、少なくとも前記ティシュペーパーの取り出し時に擦れる部分に香料成分を封入するマイクロカプセル担持層が設けられ、前記ティシュペーパーの取り出し時に、当該ティシュペーパーがマイクロカプセルに擦れて接触し、前記マイクロカプセルから香料成分が揮散するようにしたことを特徴とするティシュペーパーの収納箱。
【請求項３】
前記収納シート材料はプラスチックシートであり、前記マイクロカプセル担持層はマイクロカプセルとバインダーとを主体とし、前記プラスチックシートの少なくとも前記マイクロカプセル担持層形成面がコロナ放電処理面とされ、そのコロナ放電処理面に前記マイクロカプセル担持層が塗布されている請求項２記載のティシュペーパーの収納箱。
【請求項４】
前記プラスチックシートの前記マイクロカプセル担持層形成面と反対側の面もコロナ放電処理面とされ、前記プラスチックシートが箱上面の裏面側にホットメルト接着剤により固定されている請求項３記載のティシュペーパーの収納箱。
【発明の詳細な説明】
【技術分野】
【０００１】
本発明は、ティシュペーパー、キッチンペーパー、タオルペーパーなどのシートの収納体、及びティシュペーパーの収納箱に関する。
【背景技術】
【０００２】
ティシュペーパーの収納箱において、ティシュペーパーや収納箱に香料を塗布して、使用時にその揮散した香りを嗅ぐようにしたものが知られている（特許文献１、特許文献２）。
しかし、香り成分は時間の経過と共に揮散するので、製品を消費者が実際に使用する段階では香りの強弱が生じてしまい、製品価値として十分とは言えないものであった。その結果、提案としては存在するものの、香料入りトイレットペーパーロールが市販されている程度である。
【特許文献１】実開昭５９‐１７２１８４号公報
【特許文献２】実開平５‐４９６８０号公報
【発明の開示】
【発明が解決しようとする課題】
【０００３】
したがって、本発明の主たる課題は、シートを取り出して使用する段階で、香料成分が揮散するよう構成することによって、使用時期に関係なく、経時的に安定した香りを生じせしめるようにすることにある。
【課題を解決するための手段】
【０００４】
上記課題を解決した本発明は次記のとおりである。
＜請求項１項記載の発明＞
取り出し口を有するシートの収納体において、前記シートの取り出し口を形成し、前記取り出し口を形成する収納シート材料における、少なくとも前記シートの取り出し時に擦れる部分に香料成分を封入するマイクロカプセル担持層が設けられ、前記シートの取り出し時に、当該シートがマイクロカプセルに擦れて接触し、前記マイクロカプセルから香料成分が揮散するようにしたことを特徴とするシートの収納体。
【０００５】
（作用効果）
取り出し口を形成する収納シート材料における、少なくとも前記シートの取り出し時に擦れる部分に香料成分を封入するマイクロカプセル担持層が設けられ、前記シートの取り出し時に、当該シートがマイクロカプセルに擦れて接触し、前記マイクロカプセルから香料成分が揮散するようにしたので、使用時期に関係なく、経時的に安定した香りを生じさせることができる。
【０００６】
＜請求項２項記載の発明＞
箱上面に形成された開封蓋部分全体を広く覆う領域をもって裏面側に固定された収納シート材料に取り出し用スリットが形成され、使用時に前記開封蓋部分を除去し、前記スリットをティシュペーパーの取り出し口としてティシュペーパーを取り出すようにした収納箱において、
前記収納シート材料における、少なくとも前記ティシュペーパーの取り出し時に擦れる部分に香料成分を封入するマイクロカプセル担持層が設けられ、前記ティシュペーパーの取り出し時に、当該ティシュペーパーがマイクロカプセルに擦れて接触し、前記マイクロカプセルから香料成分が揮散するようにしたことを特徴とするティシュペーパーの収納箱。
【０００７】
（作用効果）
ティシュペーパーの収納箱において、上記構成を採用することによって、使用時期に関係なく、経時的に安定した香りを生じさせることができる。また、開封蓋部分の裏面側に固定された収納シート材料に、すなわち外力を直接受けない部分に、マイクロカプセル担持層が形成されているので、実際に消費者が開封蓋を開けてティシュペーパーの取り出しまでの流通過程などにおいて、マイクロカプセルが破壊されて香料成分が揮散することがない。
【０００８】
＜請求項３項記載の発明＞
前記収納シート材料はプラスチックシートであり、前記マイクロカプセル担持層はマイクロカプセルとバインダーとを主体とし、前記プラスチックシートの少なくとも前記マイクロカプセル担持層形成面がコロナ放電処理面とされ、そのコロナ放電処理面に前記マイクロカプセル担持層が塗布されている請求項２記載のティシュペーパーの収納箱。
【０００９】
（作用効果）
プラスチックシートの少なくともマイクロカプセル担持層形成面がコロナ放電処理面とされ、そのコロナ放電処理面にマイクロカプセル担持層が塗布されていると、マイクロカプセル担持層が脱落したり、マイクロカプセル自体の脱落も防止できる。
【００１０】
＜請求項４項記載の発明＞
前記プラスチックシートの前記マイクロカプセル担持層形成面と反対側の面もコロナ放電処理面とされ、前記プラスチックシートが箱上面の裏面側にホットメルト接着剤により固定されている請求項３記載のティシュペーパーの収納箱。
【００１１】
（作用効果）
プラスチックシートのマイクロカプセル担持層形成面と反対側の面もコロナ放電処理面とされていると、プラスチックシートと箱上面とのホットメルト接着剤による接着性が高まる。
【発明の効果】
【００１２】
以上のとおり、本発明によれば、シートを取り出して使用する段階で、香料成分が揮散するよう構成することによって、使用時期に関係なく、経時的に安定した香りを生じさせることができる。
【発明を実施するための最良の形態】
【００１３】
次いで、本発明を実施の形態によってさらに詳述する。
図１は、シートがティシュペーパーであり、収納体が紙製収納箱である場合における実施の形態におけるティシュカートンＴｃの展開状態である。
【００１４】
このティシュカートンＴｃは、中央部分が底面１、側面２、上面３、側面４として構成され、これら底面１、側面２、上面３、側面４の長手方向両側縁に、それぞれ底面側端面片１１，１１、側面端面片１２，１２、上面側端面片１３，１３、側面端面片１４，１４が連接されている。また、底面１に貼着フラップ５が連接されている。さらに、前記上面３にはティシュペーパー取り出し用のミシン目により画成された開封蓋部分２０が形成されている。
【００１５】
かかるティシュカートンＴｃは、内部にティシュペーパーＰの束が収納された状態で、汎用の組み立て形態により図２のように直方体形状にホットメルト接着剤により組立てられる。
【００１６】
また、予め、図６に示すように、上面３の裏面側には、開封蓋部分２０全体を広く覆う領域をもって、収納シート材料としての、ポリエチレン、ポリプロピレン、ポリエチレンテレフタレート、ポリスチレンなどのプラスチックシート３０がホットメルト接着剤３３などにより前記上面３の裏面に接着固定されている。なお、前述した収納シート材料としては、これらシート材料を混抄させた不織布、例えばポリエチレンとポリプロピレンを混抄させた不織布が用いることができ、形態面からは、エアースルー不織布、メルトブロー不織布、ポイントボンド不織布、スパンボンド不織布等が用いることができる。また、合成紙も可能であり、混抄する合成繊維又は化学繊維としては、レーヨン、アセテート、ビニルアセテートが好適であり、他にポリエチレン、ポリプロピレン、ポリエステル等も使用可能である。プラスチックシート３０には、図３に示すように開封蓋部分２０の長さより短い、図４に示すように開封蓋部分２０の長さと実質的に同一、図５に示すように開封蓋部分２０の長さより長いなどの形態により、単位ティシュペーパーＰを取り出すための取り出し口としてのスリット３１が形成されている。
【００１７】
上記の収納箱の構造自体は基本的に公知である。
【００１８】
しかるに、本発明においては、プラスチックシート３０の少なくともティシュペーパーＰの取り出し時に擦れる部分に香料成分を封入するマイクロカプセル担持層４０が設けられている。
【００１９】
また、プラスチックシート３０表面に直接マイクロカプセル担持層４０を塗布などにより形成することもできるが、望ましくは、プラスチックシート３０表面にコロナ放電処理により凹凸３２Ａ、３２Ｂを形成してマイクロカプセル担持層４０の接着性を高めるのが望ましい。
【００２０】
マイクロカプセル担持層４０の形成形態としては、形成領域を図面の交差ハッチングで示すと、図７のようにプラスチックシート３０全体に、図８のようにプラスチックシート３０のスリット３１の両側部分のみに、図９のようにスリット３１と直交する方向に延びるストライプ状に、あるいは図１０のように格子状になどの形態で形成できる。
【００２１】
すなわち、ティシュペーパーＰの取り出し時に、当該ティシュペーパーがマイクロカプセルに擦れて接触し、マイクロカプセルから香料成分が揮散する形態であれば、マイクロカプセル担持層４０の形成形態は限定されない。
【００２２】
本発明にかかる香料としては、特に限定されるものではないが、具体例として、例えば、リュウゼン香、安息香、海狸香、霊猫香、丁字油、ガルバナム、ジャスミンアブソリュート、ラブタナム、マテ茶、メリロット、ミモザ、ムスクトンキン、ミルラ、オークモスまたはモスドシェーヌ、乳香、ビャクシ香、オリス、バチュリ、ローズマリー油、白檀油、ベチバー油、バイオレットリーフアブソリュートなどの天然香料、高級アルコール、アルデヒド、ベンズアルデヒド、安息香酸、ケイ皮酸、ケイ皮アルデヒド、ケイ皮アルコール、クマリン、エステル、インドール、ケトン、サリチル酸と関連化合物、テルペノイド、バニリンなどの各種の合成香料あるいはこれらの２つ以上の混合物を挙げることができる。市販品を使用することもできる。
【００２３】
このような香料を封入するマイクロカプセルの製法は公知の方法を用いることができ、特に限定されるものではない。具体的には、芯物質を香料とし、例えば、スチレン−無水マレイン酸の部分加水分解物と、メラミンまたは尿素とホルマリンのプレポリマを用い、インサイチュ法によってカプセル壁材であるメラミンまたは尿素−ホルマリン樹脂を形成し、香料を封入したマイクロカプセルを生成する。水系に生成した香料を封入したマイクロカプセルをそのまま使用することもできる。
【００２４】
マイクロカプセルの粒径に限定はないが、たとえば平均粒径０．３〜５０μｍ、特に３〜２０μｍが望ましい。
【００２５】
マイクロカプセル担持層４０の形成方法としては、ロール転写塗布やスプレー塗布などの適宜の方法を採用できる。
【００２６】
塗布液としては、バインダーを使用するのが望ましく、たとえばでんぷん、ＰＶＡ、ウレタン樹脂、アクリル樹脂を使用できる。マイクロカプセルはバインダーに対して、たとえば２〜２０重量％に分散させたものを、固形分量でたとえば２．３〜２３ｇ／ｍ2の塗布量で塗布することが望ましい。塗布液中に適宜分散剤、たとえば溶剤を使用できる。
【産業上の利用可能性】
【００２７】
上記例はティシュペーパーの収納箱の例であるが、プラスチックシートや他のシートとの積層のガゼット袋、プラスチック容器なども対象とすることができ、この種の収納体において、シートの取り出し口を形成する収納シート材料における、少なくとも前記シートの取り出し時に擦れる部分に香料成分を封入するマイクロカプセル担持層を形成する形態に本発明を利用することができる。シートとしては、ティシュペーパーに限らず、不織布、あるいは乾式シートのほかウエットシートなども使用できる。
【図面の簡単な説明】
【００２８】
【図１】ティシュペーパーの収納箱本体の展開図である。
【図２】ティシュペーパーの収納箱の斜視図である。
【図３】スリットの形成例のティシュペーパー収納箱の平面図である。
【図４】スリットの形成例のティシュペーパー収納箱の平面図である。
【図５】スリットの形成例のティシュペーパー収納箱の平面図である。
【図６】図２の６‐６線矢視図である。
【図７】マイクロカプセル担持層のプラスチックシートの平面図である。
【図８】マイクロカプセル担持層のプラスチックシートの平面図である。
【図９】マイクロカプセル担持層のプラスチックシートの平面図である。
【図１０】マイクロカプセル担持層のプラスチックシートの平面図である。
【符号の説明】
【００２９】
１…底面、３…上面、２０…開封蓋部分、３０…プラスチックシート、３１…スリット、３２Ａ、３２Ｂ…凹凸、３３…ホットメルト接着剤、４０…マイクロカプセル担持層、Ｐ…ティシュペーパー、Ｔｃ…ティシュカートン。
【図１】
2007008542.tif 000003
【図２】
2007008542.tif 000004
【図３】
2007008542.tif 000005
【図４】
2007008542.tif 000006
【図５】
2007008542.tif 000007
【図６】
2007008542.tif 000008
【図７】
2007008542.tif 000009
【図８】
2007008542.tif 000010
【図９】
2007008542.tif 000011
【図１０】
2007008542.tif 000012